【手続補正書】
【提出日】平成30年12月13日(2018.12.13)
【手続補正１】
【補正対象書類名】特許請求の範囲
【補正対象項目名】全文
【補正方法】変更
【補正の内容】
【特許請求の範囲】
【請求項１】
タッチセンサーと、
前記タッチセンサーに発生されたタッチの位置を検出するタッチ制御部と、
前記タッチ制御部によって検出された最初タッチ位置を最終タッチ位置に補正するタッチ補正部と、を含み、
前記タッチ補正部は、
前記最初タッチ位置を臨時タッチ位置に変換する第１計算部と、
前記最初タッチ位置と前記臨時タッチ位置との間のタッチ移動量を算出する第２計算部と、
前記最初タッチ位置から前記タッチ移動量を差引くことで、前記最終タッチ位置を算出する第３計算部と、を含むことを特徴とするタッチスクリーン表示装置。
【請求項２】
前記第１計算部は、
前記最初タッチ位置のＸ最初座標から前記臨時タッチ位置のＸ臨時座標を算出し、前記最初タッチ位置のＹ最初座標から前記臨時タッチ位置のＹ臨時座標を算出し、
前記第２計算部は、前記最初タッチ位置のＸ最初座標と前記臨時タッチ位置のＸ臨時座標との間のＸ軸タッチ移動量を算出し、前記最初タッチ位置のＹ最初座標と前記臨時タッチ位置のＹ臨時座標との間のＹ軸タッチ移動量を算出し、
前記第３計算部は、前記最初タッチ位置のＸ最初座標から前記Ｘ軸タッチ移動量を差引くことで、前記最終タッチ位置のＸ最終座標を算出し、前記最初タッチ位置のＹ最初座標から前記Ｙ軸タッチ移動量を差引くことで、前記最終タッチ位置のＹ最終座標を算出することを特徴とする請求項１に記載のタッチスクリーン表示装置。
【請求項３】
表示パネルと、
第１映像データを利用して第１映像を前記表示パネルに表示し、第２映像データを利用して第２映像を前記表示パネルに表示する表示駆動部と、
前記第１映像データを前記第２映像データに変換する映像補正部と、
をさらに含むことを特徴とする請求項２に記載のタッチスクリーン表示装置。
【請求項４】
前記映像補正部は、
前記第１映像データに含まれた値のＸ映像座標とＹ映像座標とを生成する座標生成部と、
前記第１映像のＸ軸をＸ軸拡張領域とＸ軸縮小領域とに区分するＸ軸領域定義部と、
前記Ｘ映像座標が前記Ｘ軸拡張領域に位置する場合には下記数式１を利用してＸ補正座標を算出し、
前記Ｘ映像座標が前記Ｘ軸縮小領域に位置する場合には下記数式２を利用してＸ補正座標を算出するＸ座標補正部と、
を含むことを特徴とする請求項３に記載のタッチスクリーン表示装置。
【数１】
2016119102.tif 000001
ここで、ｘ１はＸ映像座標、ｘ２はＸ補正座標、ｍｘはＸ軸移動量、ＳｘはＸ軸スケーリング比、Ｌは前記第１映像データのＸ軸長さである。
【数２】
2016119102.tif 000002
ここで、ｘ１はＸ映像座標、ｘ２はＸ補正座標、ｍｘはＸ軸移動量、ＳｘはＸ軸スケーリング比、Ｌは前記第１映像データのＸ軸長さである。
【請求項５】
前記映像補正部は、
前記第１映像のＹ軸をＹ軸拡張領域とＹ軸縮小領域とに区分するＹ軸領域定義部と、
前記Ｙ映像座標が前記Ｙ軸拡張領域に位置する場合には下記数式３を利用してＹ補正座標を算出し、
前記Ｙ映像座標が前記Ｙ軸縮小領域に位置する場合には下記数式４を利用してＹ補正座標を算出するＹ座標補正部と、
をさらに含むことを特徴とする請求項４に記載のタッチスクリーン表示装置。
【数３】
2016119102.tif 000003
ここで、ｙ１はＹ映像座標、ｙ２はＹ補正座標、ｍｙはＹ軸移動量、ＳｙはＹ軸スケーリング比、Ｌは前記第１映像データのＹ軸長さである。
【数４】
2016119102.tif 000004
ここで、ｙ１はＹ映像座標、ｙ２はＹ補正座標、ｍｙはＹ軸移動量、ＳｙはＹ軸スケーリング比、Ｌは前記第１映像データのＹ軸長さである。
【請求項６】
前記映像補正部は、
前記Ｘ補正座標及び前記Ｙ補正座標からなる補正座標に、それに対応する前記第１映像データの値をマッピングさせることで、
前記第２映像データを生成する映像データ生成部をさらに含むことを特徴とする請求項５に記載のタッチスクリーン表示装置。
【請求項７】
前記映像補正部は、
前記第１映像データを保存するメモリーをさらに含むことを特徴とする請求項３に記載のタッチスクリーン表示装置。
【請求項８】
前記映像補正部は、    前記第１映像のＸ軸移動量、Ｙ軸移動量、Ｘ軸スケーリング比及びＹ軸スケーリング比を決定する移動量決定部をさらに含むことを特徴とする請求項６に記載のタッチスクリーン表示装置。
【請求項９】
前記Ｘ軸領域定義部は、前記Ｘ軸移動量及び前記Ｘ軸スケーリング比に基づいて前記第１映像のＸ軸をＸ軸拡張領域とＸ軸縮小領域とに区分し、
前記Ｙ軸領域定義部は、前記Ｙ軸移動量及び前記Ｙ軸スケーリング比に基づいて前記第１映像のＹ軸をＹ軸拡張領域とＹ軸縮小領域とに区分することを特徴とする請求項８に記載のタッチスクリーン表示装置。
【請求項１０】
前記Ｘ軸拡張領域は、前記Ｘ軸移動量と前記Ｘ軸スケーリング比の積によって決定され、
前記Ｘ軸縮小領域は、前記Ｘ軸拡張領域を除いた領域に決定され、
前記Ｙ軸拡張領域は、前記Ｙ軸移動量と前記Ｙ軸スケーリング比の積によって決定され、
前記Ｙ軸縮小領域は、前記Ｙ軸拡張領域を除いた領域に決定されることを特徴とする請求項９に記載のタッチスクリーン表示装置。
【請求項１１】
前記Ｘ座標補正部は、
前記Ｘ映像座標が前記Ｘ軸拡張領域に位置する場合、前記数式１を利用して前記Ｘ映像座標よりも多い個数の前記Ｘ補正座標を算出し、
前記Ｘ映像座標が前記Ｘ軸縮小領域に位置する場合、前記数式２を利用して前記Ｘ映像座標よりも少ない個数の前記Ｘ補正座標を算出し、
前記Ｙ座標補正部は、
前記Ｙ映像座標が前記Ｙ軸拡張領域に位置する場合、前記数式３を利用して前記Ｙ映像座標よりも多い個数の前記Ｙ補正座標を算出し、
前記Ｙ映像座標が前記Ｙ軸縮小領域に位置する場合、前記数式４を利用して前記Ｙ映像座標よりも少ない個数の前記Ｙ補正座標を算出することを特徴とする請求項５に記載のタッチスクリーン表示装置。
【請求項１２】
前記第１計算部は、
前記最初タッチ位置のＸ最初座標が前記Ｘ軸拡張領域に位置する場合、前記数式１を利用して前記臨時タッチ位置のＸ臨時座標を算出し、
前記最初タッチ位置のＸ最初座標が前記Ｘ軸縮小領域に位置する場合、前記数式２を利用して前記臨時タッチ位置のＸ臨時座標を算出し、
前記最初タッチ位置のＹ最初座標が前記Ｙ軸拡張領域に位置する場合、前記数式３を利用して前記臨時タッチ位置のＹ臨時座標を算出し、
前記最初タッチ位置のＹ最初座標が前記Ｙ軸縮小領域に位置する場合、前記数式４を利用して前記臨時タッチ位置のＹ臨時座標を算出することを特徴とする請求項６に記載のタッチスクリーン表示装置。
【請求項１３】
第１映像を具現するための第１映像データを第２映像データに変換する段階と、
タッチセンサーによって検出された最初タッチ位置を最終タッチ位置に補正する段階と、
を含むことを特徴とするタッチスクリーン表示装置の駆動方法。
【請求項１４】
前記第１映像データを第２映像データに変換する段階は、
前記第１映像のＸ軸移動量、Ｙ軸移動量、Ｘ軸スケーリング比及びＹ軸スケーリング比を決定する段階と、
前記Ｘ軸移動量及び前記Ｘ軸スケーリング比に基づいて前記第１映像のＸ軸をＸ軸拡張領域とＸ軸縮小領域とに区分して定義する段階と、
前記Ｙ軸移動量及び前記Ｙ軸スケーリング比に基づいて前記第１映像のＹ軸をＹ軸拡張領域とＹ軸縮小領域とに区分して定義する段階と、
前記第１映像データに含まれた値のＸ映像座標及びＹ映像座標を生成する段階と、
前記Ｘ映像座標が前記Ｘ軸拡張領域に位置する場合には下記数式５を利用してＸ補正座標を算出し、
前記Ｘ映像座標が前記Ｘ軸縮小領域に位置する場合には下記数式６を利用してＸ補正座標を算出する段階と、
前記Ｙ映像座標が前記Ｙ軸拡張領域に位置する場合には下記数式７を利用してＹ補正座標を算出し、
前記Ｙ映像座標が前記Ｙ軸縮小領域に位置する場合には下記数式８を利用してＹ補正座標を算出する段階と、
前記Ｘ補正座標及び前記Ｙ補正座標からなる補正座標にそれに対応する前記第１映像データの値をマッピングさせることで、前記第２映像データを生成する段階と、
を含むことを特徴とする請求項１３に記載のタッチスクリーン表示装置の駆動方法。
【数５】
2016119102.tif 000005
ここで、ｘ１はＸ映像座標、ｘ２はＸ補正座標、ｍｘはＸ軸移動量、ＳｘはＸ軸スケーリング比、Ｌは前記第１映像データのＸ軸長さである。
【数６】
2016119102.tif 000006
ここで、ｘ１はＸ映像座標、ｘ２はＸ補正座標、ｍｘはＸ軸移動量、ＳｘはＸ軸スケーリング比、Ｌは前記第１映像データのＸ軸長さである。
【数７】
2016119102.tif 000007
ここで、ｙ１はＹ映像座標、ｙ２はＹ補正座標、ｍｙはＹ軸移動量、ＳｙはＹ軸スケーリング比、Ｌは前記第１映像データのＹ軸長さである。
【数８】
2016119102.tif 000008
ここで、ｙ１はＹ映像座標、ｙ２はＹ補正座標、ｍｙはＹ軸移動量、ＳｙはＹ軸スケーリング比、Ｌは前記第１映像データのＹ軸長さである。
【請求項１５】
前記最初タッチ位置を最終タッチ位置に補正する段階は、
前記最初タッチ位置のＸ最初座標から臨時タッチ位置のＸ臨時座標を算出し、前記最初タッチ位置のＹ最初座標から前記臨時タッチ位置のＹ臨時座標を算出する段階と、
前記最初タッチ位置のＸ最初座標と前記臨時タッチ位置のＸ臨時座標との間のＸ軸タッチ移動量を算出し、前記最初タッチ位置のＹ最初座標と前記臨時タッチ位置のＹ臨時座標との間のＹ軸タッチ移動量を算出する段階と、
前記最初タッチ位置のＸ最初座標から前記Ｘ軸タッチ移動量を差引くことで前記最終タッチ位置のＸ最終座標を算出し、前記最初タッチ位置のＹ最終座標から前記Ｙ軸タッチ移動量を差引くことで前記最終タッチ位置のＹ最終座標を算出する段階と、
を含むことを特徴とする請求項１４に記載のタッチスクリーン表示装置の駆動方法。
【請求項１６】
前記臨時タッチ位置のＸ臨時座標とＹ臨時座標とを算出する段階は、
前記最初タッチ位置のＸ最初座標が前記Ｘ軸拡張領域に位置する場合、前記数式５を利用して前記臨時タッチ位置のＸ臨時座標を算出し、
前記最初タッチ位置のＸ最初座標が前記Ｘ軸縮小領域に位置する場合、前記数式６を利用して前記臨時タッチ位置のＸ臨時座標を算出し、
前記最初タッチ位置のＹ最初座標が前記Ｙ軸拡張領域に位置する場合、前記数式７を利用して前記臨時タッチ位置のＹ臨時座標を算出し、
前記最初タッチ位置のＹ最初座標が前記Ｙ軸縮小領域に位置する場合、前記数式８を利用して前記臨時タッチ位置のＹ臨時座標を算出することを特徴とする請求項１５に記載のタッチスクリーン表示装置の駆動方法。
【請求項１７】
前記Ｘ軸拡張領域は、前記Ｘ軸移動量と前記Ｘ軸スケーリング比の積によって決定され、
前記Ｘ軸縮小領域は、前記Ｘ軸拡張領域を除いた領域に決定され、
前記Ｙ軸拡張領域は、前記Ｙ軸移動量と前記Ｙ軸スケーリング比の積によって決定され、
前記Ｙ軸縮小領域は前記Ｙ軸拡張領域を除いた領域に決定されることを特徴とする請求項１６に記載のタッチスクリーン表示装置の駆動方法。
【請求項１８】
Ｘ軸拡張領域に位置するＸ映像座標から算出されたＸ補正座標の個数は、
Ｘ軸拡張領域に位置するＸ映像座標の個数よりも多く、
Ｘ軸縮小領域に位置するＸ映像座標から算出されたＸ補正座標の個数は、
Ｘ軸縮小領域に位置するＸ映像座標の個数よりも少ないことを特徴とする請求項１４に記載のタッチスクリーン表示装置の駆動方法。
【請求項１９】
前記Ｙ補正座標を算出する段階は、
前記Ｙ映像座標が前記Ｙ軸拡張領域に位置する場合、前記数式７を利用して前記Ｙ映像座標よりも多い個数の前記Ｙ補正座標を算出し、    前記Ｙ映像座標が前記Ｙ軸縮小領域に位置する場合、前記数式８を利用して前記Ｙ映像座標よりも少ない個数の前記Ｙ補正座標を算出することを特徴とする請求項１８に記載のタッチスクリーン表示装置の駆動方法。